(57)【要約】  【課題】  回路材が収容されているケース本体にコネクタをボルト締めするまで、ロアカバーにコネクタを仮保持する機構を改良する。  【解決手段】  回路材が収容されている電気接続箱のケース本体の下方に、内部にコネクタを仮置きしたロアカバーを配置し、該コネクタに固定されたナットに対して、ボルトを前記ケース本体の上方から貫通してボルト締めして前記コネクタをケース本体の下面に固定して、該コネクタの端子収容室に前記回路材の端子を挿入している電気接続箱において、前記コネクタがボルト締めされる前は、コネクタに設けた保持爪の外面がロアカバーに設けたガイド片に押し付けられて仮保持され、前記コネクタがボルト締結時に前記保持爪の外面が前記ガイド片に摺接しながら上昇され、ボルト締結完了位置で保持爪の上面がガイド片の係止爪の下面に係止される構成としている。  【選択図】  図４
2006288077.tif 000002
【特許請求の範囲】
【請求項１】
回路材が収容されている電気接続箱のケース本体の下方に、内部にコネクタを仮置きしたロアカバーを配置し、該コネクタに固定されたナットに対して、ボルトを前記ケース本体の上方から貫通してボルト締めして前記コネクタをケース本体の下面に固定して、該コネクタの端子収容室に前記回路材の端子を挿入している電気接続箱において、
前記コネクタの四角形状のハウジングの少なくとも対向する２辺の外面下部にそれぞれ外向きに突出する保持爪を設けている一方、
前記ロアカバーの側壁に近接した底壁の底面より前記保持爪と対向する位置にガイド片を突設し、該ガイド片の上端は前記コネクタのボルト締結完了位置で前記保持爪と対向する位置まで突出させると共に、その上端に係止爪を内向きに突設し、かつ、該ガイド片の高さ方向の中間位置を前記側壁と連結した補強リブを設け、
前記コネクタがボルト締めされる前は、前記保持爪の外面が前記ガイド片に押し付けられて仮保持され、
前記コネクタがボルト締結時に前記保持爪の外面が前記ガイド片に摺接しながら上昇され、ボルト締結完了位置で保持爪の上面がガイド片の係止爪の下面に係止される構成としている電気接続箱。
【請求項２】
前記保持爪の上面は幅広とし、前記係止爪とのラップ代を大としている請求項１に記載の電気接続箱。
【請求項３】
前記コネクタのハウジングの下部にコネクタカバーがロック結合され、該コネクタカバーの周壁下部から底壁にかけて凹部を設ける一方、前記ロアカバーの底壁から前記凹部に内嵌する位置決め片を突設し、
前記コネクタがボルト締めされる前は、前記コネクタカバーの凹部に前記位置決め片が嵌合されて、コネクタがロアカバーに位置決めされた状態で仮保持される構成としている請求項１または請求項２に記載の電気接続箱。
【請求項４】
前記コネクタハウジングの四隅の下端より仮保持脚を下方に突出させ、該仮保持脚の下端に仮保持爪を設けている一方、
前記ロアカバーの底壁に前記仮保持爪を仮保持する爪部を設け、
前記コネクタがボルト締めされる前は、前記仮保持爪がロアカバーの前記爪部に仮保持される構成としている請求項１または請求項２に記載の電気接続箱。
【請求項５】
前記ロアカバーの内部に複数の前記コネクタを収容し、各コネクタの前記保持爪と対向する位置に前記ガイド片を設けている請求項１乃至請求項４のいずれか１項に記載の電気接続箱。
【発明の詳細な説明】
【技術分野】
【０００１】
本発明は、電気接続箱に関し、詳しくは、ケース本体の内部回路材と接続するコネクタをロアカバーの内部に仮置きしておき、ケース本体側からのボルト締めでケース本体の下面に固定するものである。
【背景技術】
【０００２】
従来、自動車に搭載する電気接続箱において、ケース内部に収容した回路材と電線端末に接続した多極コネクタとをインパクトレンチを用いたボルト締めで取り付け、コネクタの接続作業時の操作力の低減を図るものがある。
【０００３】
この種の電気接続箱として、特開平８−１４８２２４号公報（特許文献１）において、図７に示す電気接続箱１が提供されている。該電気接続箱１は、アッパーケース２、ロアケース３および多極のコネクタ４にそれぞれ設けた貫通穴２ａ、３ａ、４ａにボルトＢを通し、コネクタ４内に埋設したナットと締結してコネクタ４をロアケース３下面のコネクタ収容部３ｂ内に固定している。
【０００４】
しかしながら、特許文献１で提供されている電気接続箱１では、コネクタ４をケースにボルト締めするまで、コネクタ４をコネクタ収容部３ｂに仮係止できる構造になっていないため、コネクタ収容部３ｂに収容されたコネクタ４を作業員が手で保持しながらボルト締めしなければならず、また、コネクタ４が位置ズレしやすく、ボルト締め作業が煩雑となり作業効率が悪くなる問題がある。
【０００５】
これに対して、米国特許第６０７７１０２号公報（特許文献２）で提供されている電気接続箱では、コネクタの本体ケース（コネクタハウジング）の下部に取り付けて、コネクタハウジングに接続する電線を保護するコネクタカバーにロック部を設け、該ロック部でロアカバー側に仮係止しておき、前記コネクタがケース本体側にボルト締めされた時にロアカバー側とのロックが解除される構成とされている。
【０００６】
しかしながら、コネクタハウジングの下部に取り付けて電線の保護を行うコネクタカバーにロック機構を設けることは、コネクタハウジングと比べてコネクタカバーの強度が低いため好ましくない。
また、コネクタがボルト締めでケース本体に締め付け固定された後は、ロアカバー側とのロックが外れる構成とされているが、コネクタの端子収容室内にケース本体内に収容している端子が挿入係止して電気接続されているため、経年経過後にボルトの緩み発生や外部的な衝撃振動が負荷されてボルトに緩みが発生する場合を想定すると、コネクタとロアカバーのロックを解除する構成とすることは、コネクタの接続信頼性の点で好ましくない。
【０００７】
【特許文献１】特開平８−１４８２２４号公報
【特許文献２】米国特許第６０７７１０２号公報
【発明の開示】
【発明が解決しようとする課題】
【０００８】
本発明は前記問題に鑑みてなされたものであり、コネクタカバーにロック機構を設けてロアカバーに仮保持しておく機構を廃止しながら、コネクタがケース本体にボルト締結するまでロアカバーに仮保持する構成とすると共に、コネクタがケース本体側にボルト締めで固定された後もロアカバー側に係止される構成とし、コネクタの接続信頼性を高めることを課題としている。
さらに、コネクタがボルト締めされる時にガイドする機構も付加して、コネクタの端子収容室内にケース本体側の端子が精度よく挿入されるようにすることも課題としている。
【課題を解決するための手段】
【０００９】
前記課題を解決するため、本発明は、回路材が収容されている電気接続箱のケース本体の下方に、内部にコネクタを仮置きしたロアカバーを配置し、該コネクタに固定されたナっトに対して、ボルトを前記ケース本体の上方から貫通してボルト締めして前記コネクタをケース本体の下面に固定して、該コネクタの端子収容室に前記回路材の端子を挿入している電気接続箱において、
前記コネクタの四角形状のハウジング（コネクタ本体）の少なくとも対向する２辺の外面下部にそれぞれ外向きに突出する保持爪を設けている一方、
前記ロアカバーの側壁に近接した底壁の底面より前記保持爪と対向する位置にガイド片を突設し、該ガイド片の上端は前記コネクタのボルト締結完了位置で前記保持爪と対向する位置まで突出させると共に、その上端に係止爪を内向きに突設し、かつ、該ガイド片の高さ方向の中間位置を前記側壁と連結した補強リブを設け、
前記コネクタがボルト締めされる前は、前記保持爪の外面が前記ガイド片に押し付けられて仮保持され、
前記コネクタがボルト締結時に前記保持爪の外面が前記ガイド片に摺接しながら上昇され、ボルト締結完了位置で保持爪の上面がガイド片の係止爪の下面に係止される構成としている電気接続箱を提供している。
【００１０】
前記構成によれば、コネクタがボルト締めされるまでは、コネクタハウジンク自体に少なくとも対向位置に設けた保持爪外面がロアカバーに設けたガイド片の内面に押し当てられた状態で保持される。よって、コネクタがケース本体にボルト締めされるまでに、ロアカバー内でコネクタを正規位置に仮保持しておくことができる。
コネクタをケース本体にボルト締めする際には、コネクタが正規位置に位置決めされており、ボルトをコネクタに埋設したナットに確実に貫通させてボルト締め作業を容易にすることができる。
さらに、ロアカバー内に仮置きされたコネクタが、衝撃や振動により保持爪がガイド片に対する押し当てが解かれて抜け方向に移動しても、ガイド片の上端の係止爪に保持爪が係止されることにより、コネクタがロアカバーから脱落することが防止できる。
【００１１】
また、ボルト締結時には、保持爪外面がガイド片の内面に摺接して、コネクタが傾くことなく真上に上昇するため、ボルトがコネクタのナットに対して斜めに挿入されることなく、コネクタの端子収容室にケース本体側の端子を精度良く挿入させることができ、端子に変形を発生させることも防止できる。
さらに、ボルト締結完了位置では、保持爪の上面がガイド片の係止爪の下面に係止状態で保持される。其の際、コネクタは中央部がボルトにより固定され、さらに外周位置でガイド片の係止爪に保持爪が係止されることで、振動や衝撃が負荷された際にも安定した状態でコネクタを保持できる。さらに、ボルトの締結が緩むことがあっても係止爪と保持爪との係止でボルト正規位置に保持できコネクタの接続信頼性を高めることができる。
【００１２】
前記保持爪は、ボルト締結時にガイド片に摺接しながら上昇させる観点からは、接触面を点接触する円弧面とすると共に全体形状を断面三角形状とすることが好ましい。
一方、ボルト締結前の仮保持機能を高める観点からは、接触面を垂直面としてガイド片に面接触させる形状としてもよい。
【００１３】
前記保持爪の上面は幅広とし、前記係止爪とのラップ代を大としている。
該構成とすることにより、ボルト締結後の係止爪による保持力を向上させることができると共に、ボルト締結前のロアカバー内にコネクタを仮置きしている時の抜き止め機能も向上させることができる。
【００１４】
前記コネクタのハウジングの下部にコネクタカバーがロック結合され、該コネクタカバーの周壁下部から底壁にかけて凹部を設ける一方、前記ロアカバーの底壁から前記凹部に内嵌する位置決め片を突設し、
前記コネクタがボルト締めされる前は、前記コネクタカバーの凹部に前記位置決め片が嵌合されて、コネクタがロアカバーに位置決めされた状態で仮保持される構成としていることが好ましい。
【００１５】
前記のようにコネクタハウジングにコネクタカバーを取り付けておくと、コネクタハウジングに接続された電線群がバラバラにならずに、コネクタカバー内部に収容した状態でロアカバー内部に収容することができ、コネクタのボルト締め時に、隣接するコネクタの電線群とからみついたりすることなくスムーズに各コネクタをケース本体側に締結することができる。
かつ、該コネクタカバーの周壁下部から底壁にかけて凹部を設ける一方、前記ロアカバーの底壁から前記凹部に内嵌する位置決め片を突設し、コネクタカバーの凹部に位置決め片を嵌合させておくと、コネクタを正規の仮保持位置に保持することができる。
【００１６】
前記コネクタハウジングの四隅の下端より仮保持脚を下方に突出させ、該仮保持脚の下端に仮保持爪を設けている一方、
前記ロアカバーの底壁に前記仮保持爪を仮保持する爪部を設け、
前記コネクタがボルト締めされる前は、前記仮保持爪がロアカバーの前記爪部に仮保持される構成としてもよい。
【００１７】
即ち、コネクタハウジングにコネクタカバーを取り付ける代わりに、コネクタハウジングから仮保持脚を突設し、これら仮保持脚で囲まれた空間にコネクタハウジングに接続する電線群を収容する構成としている。
該仮保持脚の下端に仮保持爪を設け、ロアカバーの底壁に仮保持爪を仮保持する爪部を設けておくと、コネクタをロアカバー内に仮置き時に仮保持できる。該仮保持爪とロアカバーの爪部との係止は、コネクタがボルト締めで上昇すると容易に係止が外れる係止形態としている。
【００１８】
前記コネクタは、ロアカバーの内部に複数収容し、各コネクタの前記保持爪と対向する位置に前記ガイド片を設けている。
前記構成によれば、ケース本体にボルト締め固定するコネクタが複数ある場合であっても、コネクタをロアカバーの所定の位置に仮置きして保持爪をガイド片に圧接して位置決めしておくことができるため、ロアカバー内に仮置きされたコネクタ上にケース本体を配置して、それぞれボルト締めしていけば、位置合わせをすることなく各コネクタをケース本体の所定の箇所にボルト締め固定することができる。
【００１９】
また、ロアカバーの底壁より立設するガイド片は突出量が大となるため、高さ方向の中間位置でロアカバーの側壁とを連結する補強リブを設けることが好ましい。
該構成とすると、補強リブにより、ガイド片が外方、即ち、ロアカバーの側壁側に撓みにくくなる。よって、ガイド片にコネクタの保持爪が押し付けられても折れたり撓んだりすることがなく、コネクタを水平方向に位置ズレさせることなく所定の位置に仮係止しておくことができる。
また、ボルト締結完了後においても、ガイド片が外方に撓んで係止爪との保持爪との係止が解除されることが防止できる。
【発明の効果】
【００２０】
前述したように、本発明によれば、コネクタがボルト締めされるまでは、コネクタハウジング（コネクタ本体）から突設した保持爪の外面がロアカバーに設けたガイド片の内面に押し当てられるため、コネクタをロアカバーの内部に正規位置に保持しておくことができる。
コネクタをケース本体にボルト締めする際には、コネクタがロアカバーの正規位置に位置決めされているため、ボルトをコネクタに埋設したナットに確実に貫通させてボルト締め作業を容易にすることができる。
また、ロアカバー内に仮置きされたコネクタが衝撃や振動によりロアカバーから抜け方向に移動しても、保持爪がロアカバーのガイド片の上端に設けた係止爪に係止されるため、コネクタがロアカバーから脱落することを防止できる。
【００２１】
さらに、ボルト締結時には、保持爪の外面がガイド片の内面に摺接して、コネクタが傾くことなく真上に上昇するため、ボルトがコネクタのナットに対して斜めに挿入されることなく、コネクタの端子収容室にケース本体側の端子を精度良く挿入させることができる。よって、コネクタの端子収容室に挿入される本体ケース側の端子に変形や損傷を発生させず、コネクタの接続信頼性を高めることができる。
さらにまた、コネクタがケース本体にボルト締結された後もコネクタの保持爪がロアカバーのガイド片の係止爪と係止状態で保持されるため、コネクタを本体ケースに対してより確実に固定することができる。
【００２２】
また、ボルト締結前において、前記のようなコネクタに突設した保持爪とロアカバーに設けたガイド片による仮係止だけではなく、コネクタカバーの下部に設けた凹部とロアカバーの底壁に設けた位置決め片との嵌合や、コネクタハウジングに設けた仮保持脚の仮保持爪とロアカバーの底壁に設けた爪部との係止によって、コネクタの仮係止をより確実なものとすることができる。
【発明を実施するための最良の形態】
【００２３】
本発明の実施形態を図面を参照して説明する。
図１乃至図４は、本発明の実施形態を示す。
図１に示すように、電気接続箱１０は、内部回路を備えたケース本体１１、該ケース本体１１の下面にボルト２０で締結固定する３個の多極のコネクタ３０、該多極コネクタ３０を仮置きしておくロアカバー１８、ケース本体１１の上部より被せるアッパーカバー１７とから構成している。
【００２４】
ケース本体１１は、図２に示すように、アッパーケース１２とロアケース１３からなり、該ケース本体１１の内に導電性金属板を打抜加工して所要形状に形成したバスバー（回路材）１４と絶縁板１５とを交互に積層した積層体１６を収容している。
ロアケース１３には３カ所に下向きに突出した四角枠部１３ｂを突出して、コネクタ収容部１３ａを設けている。
該コネクタ収容部１３ａの上面側中央部にケース本体側へと突出させたボルト挿通筒１３ｃを突設し、アッパーケース１２に設けたボルト穴１２ａと連通させている。
連通させたボルト穴１２ａ、ボルト挿通筒１３ｃにボルト２０を上方から貫通させ、ボルト２０の下側をコネクタ収容部１３ａ内に突出させた状態としている。
【００２５】
また、バスバー１４の先端を下方に屈曲させてタブ状の端子（図示せず）を設け、該端子をロアケース１３に設けた端子穴１３ｄを通して、コネクタ収容部１３ａ内に突出させている。バスバー１４には上方に屈曲させて形成したタブ状の端子（図示せず）をアッパーケース１２のヒューズ収容部１２ｂやリレー収容部１２ｃに収容したヒューズ、リレー（図示せず）の端子と接続する構成としている。
【００２６】
前記コネクタ３０は、多極の端子収容室を設けたコネクタハウジング３１（以下、コネクタ本体と称す）の下部にコネクタカバー３２をロック結合している。前記端子収容室にはコネクタ３０がケース本体にボルト締結された際に、ケース本体１１内のバスバー１４から立設した端子が挿入され、端子収容室内に挿入係止されている電線端末の端子と嵌合接続される。
コネクタ本体３１の略中央に上下に貫通するボルト挿入部３１ａを設け、該ボルト挿入部３１ａの下部にナット３３を埋設している。コネクタカバー３２の周壁３２ｂには電線引出口３２ａを設け、該電線引出口３２ａを通してコネクタ３０に接続した電線（図示せず）を外部に引き出している。
【００２７】
図４に示すように、コネクタ本体３１は四角形状で、対向する２辺の外面下部からそれぞれ外向きに保持爪３１ｄを突設している。該保持爪３１ｄは大略断面三角形状とし、上面３１ｄ−１及び下面３１ｄ−２を傾斜面とする一方、Ｖ形状に突出する外面先端を円弧面３１ｄ−３としている。保持爪３１ｄの上面３１ｄ−１は幅広として、後述するロアカバー１８の係止爪１８ｄとのラップ代を大としている。なお、外面先端を垂直方向の平面としてもよい。
また、コネクタ本体３１の下部にロック結合したボックス状のコネクタカバー３２には、周壁３２ｂの下部から底壁３２ｃにかけて凹部３２ｄを設けている。
【００２８】
図４および図３に示すように、ロアカバー１８は、その側壁１８ａに近接した底壁１８ｂから前記保持爪３１ｄと対向する位置に上方へ突出するガイド片１８ｃを設けている。該ガイド片１８ｃは、図４（Ｂ）に示すコネクタ３０のボルト締結完了位置で保持爪１８ｄと対向する位置まで突出しており、その上端に係止爪１８ｄを内向きに突設している。該係止爪１８ｄは上面１８ｄ−１を傾斜面とする一方、下面１８ｄ−２を水平面としている。
ガイド片１８ｃは、その高さ方向の中間位置の外面とロアカバー１８の側壁１８ａとを補強リブ１８ｅで連結している。また、隣接するガイド片１８ｄの下端部との間に底壁から位置決め枠１８ｆを設け、該位置決め枠１８ｆで複数のコネクタ３０を所定位置に配置できるようにしている。本実施形態では、ロアカバー１８内に３つのコネクタ３０を配置できるようにしている。
また、位置決め枠１８ｆで囲まれた空間内には、位置決めするコネクタ３０のコネクタカバー３２に設けた凹部３２ｄと対向する位置に、ロアカバー１８の底壁１８ｂから凹部３２ｄに内嵌する位置決め片１８ｇを突設している。
【００２９】
次ぎに、前記構造からなる電気接続箱の組み付けについて説明する。
ケース本体１１にボルト締結される前は、図４（Ａ）および図３に示すように、コネクタ３０はロアカバー１８内に仮置き状態で収容している。
其の際、各コネクタ３０は保持爪３１ｄがロアカバー１８のガイド片１８ｃの上端の係止爪１８ｄを乗り越えさせて底壁側まで押し込む。この状態で位置決め枠１８ｆにより部分的に囲まれると共に、保持爪３１ｄの外面３１ｄ−３がガイド片１８ｃに押し当てられた状態となって圧接され、かつ、コネクタカバー３２の凹部３２ｄにロアカバー１８の位置決め片１８ｄが内嵌され、コネクタ３０は仮保持される。このように、コネクタ３０は正規位置において仮保持される。よって、衝撃や振動が負荷されてコネクタ３０がロアカバー１８の上端開口側の抜け方向に移動しても、保持爪３１ｄの上面３１ｄ−１とガイド片の係止爪１８ｄの下面１８ｄ−２が当接して、コネクタ３０の脱落が防止される。
【００３０】
この状態で、ロアカバー１８をケース本体１１のロアケース１３の下面側の正規位置に配置すると、ケース本体１１を貫通させたボルト２０と、ロアカバー１８内のコネクタ３０のボルト挿入部３０ａとが対向配置される。
【００３１】
次いで、インパクトレンチ（図示せず）を用いてボルト２０をボルト締めすると、ボルト２０がコネクタ本体３１内のナット３３に螺嵌し、保持爪３１ｄの外面３１ｄ−３がガイド片１８ｃに摺接しながらコネクタ３０が上昇する。
ボルト締結完了位置では、図４（Ｂ）に示すように、保持爪３１ｄの上面３１ｄ−１がガイド片１８ｃの係止爪１８ｄの下面１８ｄ−２に係止される一方、コネクタカバー３２の凹部３２ｄからロアカバー１８の位置決め片１８ｇが引き抜かれ、コネクタ下部側での嵌合が解除される。
【００３２】
コネクタ３０がケース本体１１のコネクタ収容部１３ａの正規位置まで挿入されたとき、コネクタ収容部１３ａ内に突出したバスバー１４の端子がコネクタ３０の端子穴を通して端子収容室に挿入され、電線端末の雌端子と接続される。
【００３３】
前記構成によれば、コネクタ３０がケース本体１１にボルト締めされるまでは、コネクタ本体３１に設けた保持爪３１ｄの外面３１ｄ−３がロアカバー１８に設けたガイド片１８ｃの内面に押し当てられて圧接されると共に、コネクタカバー３２の凹部３２ｄにロアカバー１８の位置決め片１８ｄが内嵌されて仮保持されているため、ボルト締めするまでにコネクタ３０が水平方向に位置ズレすることがない。よって、コネクタ３０をケース本体１１にボルト締めする際には、コネクタ３０が正規位置に位置決めでき、ボルト２０をコネクタ３０に固定したナット３３に確実に貫通させてボルト締め作業を容易にすることができる。
かつ、ボルト締め前は、ロアカバー１８内に仮置きされたコネクタ３０に衝撃や振動が負荷されて、ロアカバー１８に対して抜け方向に移動すると、ラップ代を大とした保持爪３１ｄの上面３１ｄ−１と係止爪１８ｄの下面１８ｄ−２とが係止され、コネクタ３０がロアカバー１８から脱落することが防止できる。
【００３４】
また、ボルト締結時には、保持爪３１ｄの外面３１ｄ−３がガイド片１８ｃの内面に摺接して、コネクタ３０が傾くことなく真上に上昇するため、ボルト２０がコネクタ３０のナット３３に対して斜めに挿入されることなく、コネクタ３０をケース本体１１に対して所定の角度で固定することができる。よって、コネクタ本体３１の端子収容室にケース本体側のバスバーの端子を精度よく挿入できる。
さらに、ボルト締結完了位置では、保持爪３１ｄの上面３１ｄ−１がガイド片１８ｃの係止爪１８ｄの下面１８ｄ−２に係止されるため、コネクタ３０をケース本体１１にボルト締め固定した状態でのコネクタ３０のガタつきを防止でき、かつ、ボルトがゆるんでも、コネクタ３０をケース本体下面に保持でき、コネクタの接続信頼性を高めることができる。
【００３５】
図５及び図６は、本発明の第２実施形態を示す。
本実施形態では、多極のコネクタ３０’のコネクタハウジング３１’にコネクタカバーを取り付けておらず、コネクタハウジング３１’の四隅の下端より同一長さの仮保持脚３１ｅ’を下方に突出させている。該仮保持脚３１ｅ’の下端外面には仮保持爪３１ｆ’を設けており、該仮保持爪３１ｆ’の上面３１ｆ−１’を垂直断面で円弧状としている。
【００３６】
一方、ロアカバー１８の底壁１８ｂには、コネクタハウジング３１’の仮保持爪３１ｆ’に対応する位置に突起状の爪部１８ｈを突設している。該爪部１８ｈの内面側には、仮保持爪３１ｆ’を仮保持する凹部１８ｈ−１を設けており、該凹部１８ｈ−１の垂直断面も円弧状としている。なお、仮保持爪３１ｆ’の上面３１ｆ−１’及び爪部１８ｈの凹部１８ｈ−１は垂直断面を円弧状に限らず、テーパー状としてもよい。
なお、コネクタの保持爪とロアカバーに設けたガイド片の係止爪との係止構造は第１実施形態と同様としているため、同一の符号を付して説明を省略する。
【００３７】
次ぎに、前記構造からなる電気接続箱の組み付けについて説明する。
ケース本体１１にボルト締結される前に、コネクタ３０’はロアカバー１８内の所要箇所に仮置きすると、仮保持脚３１ｅ’によって所要高さで保持される。このとき、保持爪３１ｄ’の外面３１ｄ−３’がガイド片１８ｃに押し当てられた状態となって圧接され、かつ、コネクタハウジング３１’に突設した仮保持脚３１ｅ’の仮保持爪３１ｆ’がロアカバー１８の爪部１８ｈの凹部１８ｈ−１に仮係止されてコネクタ３０’は仮保持される。
【００３８】
この状態で、ロアカバー１８をケース本体１１のロアケース１３の下面側の正規位置に配置し、インパクトレンチ（図示せず）を用いてボルト２０をボルト締めすると、ボルト２０がコネクタハウジング３１’内のナット３３に螺嵌し、仮保持爪３１ｆ’と爪部１８ｈの仮係止が解除され、保持爪３１ｄ’の外面３１ｄ−３’がガイド片１８ｃに摺接しながらコネクタ３０’が上昇する。
ボルト締結完了位置では、図６（Ｂ）に示すように、保持爪３１ｄ’の上面３１ｄ−１’がガイド片１８ｃの係止爪１８ｄの下面１８ｄ−２に係止される。
コネクタ３０’がケース本体１１のコネクタ収容部１３ａの正規位置まで挿入されたとき、コネクタ収容部１３ａ内に突出したバスバー１４の端子がコネクタ３０’の端子穴を通して端子収容室に挿入され、電線端末の雌端子と接続される。
【００３９】
前記構成によれば、コネクタ３０がケース本体１１にボルト締めされるまでは、コネクタハウジング３１’に設けた保持爪３１ｄ’の外面３１ｄ−３’がロアカバー１８に設けたガイド片１８ｃの内面に押し当てられて圧接されると共に、コネクタハウジング３１’に突設した仮保持脚３１ｅ’の仮保持爪３１ｆ’がロアカバー１８の爪部１８ｈに仮保持されているため、ボルト締めするまでにコネクタ３０’が水平方向に位置ズレすることがない。
よって、第１実施形態と同様、コネクタ３０’をケース本体１１にボルト締めする際には、コネクタ３０’を正規位置に位置決めでき、ボルト２０をコネクタ３０’に固定したナット３３に確実に貫通させてボルト締め作業を容易にすることができる。
【図面の簡単な説明】
【００４０】
【図１】本発明の第１実施形態の電気接続箱の分解斜視図である。
【図２】組みつけ状態の電気接続箱の断面図である。
【図３】ロアカバーにコネクタを収容した状態を示す平面図である。
【図４】（Ａ）（Ｂ）はケース本体にコネクタをボルト締め固定する工程を示す図面、（Ｃ）は仮保持爪を示す拡大図である。
【図５】第２実施形態のコネクタの斜視図である。
【図６】（Ａ）（Ｂ）はケース本体にコネクタをボルト締め固定する工程を示す図面、（Ｃ）は仮保持爪を爪部に仮保持させた状態を示す拡大図である。
【図７】従来例を示す図面である。
【符号の説明】
【００４１】
１０  電気接続箱
１１  ケース本体
１２  アッパーケース
１３  ロアケース
１３ａ  コネクタ収容部
１４  バスバー
１５  絶縁板
１８  ロアカバー
１８ｃ  ガイド片
１８ｄ  係止爪
１８ｅ  補強リブ
１８ｇ  位置決め片
１８ｈ  爪部
２０  ボルト
３０  コネクタ
３１  コネクタのハウジング（コネクタ本体）
３１ｄ  保持爪
３１ｅ’  仮保持脚
３１ｆ’  仮保持爪
３２  コネクタカバー
３２ｄ  凹部
３３  ナット
【図１】
2006288077.tif 000003
【図２】
2006288077.tif 000004
【図３】
2006288077.tif 000005
【図４】
2006288077.tif 000006
【図５】
2006288077.tif 000007
【図６】
2006288077.tif 000008
【図７】
2006288077.tif 000009